(57)【要約】【課題】洗浄液が被浄化面の内部に浸透させることが可能な吸引ヘッドを提供すること。【解決手段】境界壁４４を隔てて被浄化面Ｗに対して吸引作用を行う吸引開口Ｄと洗浄液が導かれる流出開口Ｓが先端に開口した吸引ヘッド４０は、大気に開放されたダクト４２と、ダクト４２から流出開口Ｓに到る通路の途中に開口するノズル４６と、ノズル４６に洗浄液を供給する導入管４３と、境界壁４４の縁４４ａは先端４０ａから後退しており、ノズル４６から漏れ出した洗浄液がノズル４６から流出開口Ｓに到る通路で加速し、被浄化面Ｗに衝突する。【選択図】図１
2017124066.tif 000002
【特許請求の範囲】
【請求項１】
境界壁を隔てて被浄化面に対して吸引作用を行う吸引開口と洗浄液が導かれる流出開口が先端に開口した吸引ヘッドにおいて、
大気に開放されたダクトと、
前記ダクトから前記流出開口に到る通路の途中に開口するノズルと、
前記ノズルに洗浄液を供給する導入管と、
前記境界壁の縁は前記先端から後退しており、前記ノズルから漏れ出した洗浄液を前記ノズルから前記流出開口に到る通路で加速して被浄化面に衝突させることを特徴とする吸引ヘッド。
【請求項２】
前記ダクトから前記流出開口に到る通路を流れる空気流の途中に圧力差を生じさせ、この圧力差により前記ノズルから洗浄液を吸い出す霧吹き機構を有することを特徴とする吸引ヘッド。
【発明の詳細な説明】
【技術分野】
【０００１】
本発明は、被浄化面に洗浄液を供給して吸引し除去する湿式吸引装置に用いられる吸引ヘッドに関する。
【背景技術】
【０００２】
湿式吸引装置は、床面に洗浄水を吹き付けて床面を洗浄しながら、床面上の水及びこれに溶解された汚れを吸引する。このような、湿式吸引装置として例えば、特許文献１に示されるものが知られている。この装置は、乾式の吸引装置、例えば乾式掃除機の吸引ホースの先に取り付けられ、床面に洗浄水を吹き付けて床面を洗浄しながら、床面上の水及びこれに溶解された汚れを吸引し除去するものであり、乾式掃除機のモータを利用して湿式吸引装置として機能させる。
【０００３】
この湿式吸引装置は、汚水タンクの上部空間を覆う蓋体に、吸引空気で回転するファンとこの回転力により回転する皿体が設けられ、吸引ヘッドから汚水タンク内に吸込まれた空気を皿体のスリットを介してファンに流入させる一方、汚水タンクに吸込まれた汚れを混合する洗浄水に対しては皿体の回転による遠心力で跳ね飛ばしている。
吸引ヘッドの先端は、被浄化面に対する吸引作用を行う吸引開口と洗浄液が導かれる流出開口が開口している。吸引開口と流出開口とを隔てる境界部は、吸引ヘッドの先端よりもやや窪んでいるため、吸引ヘッドの先端が被浄化面に当接すると、境界部と被浄化面の間を通して、吸引開口からの洗浄液がこの隙間を経由して吸引開口に流れる。その際に、洗浄液が被浄化面に付着した汁物等の汚れを溶解させて、吸引開口に吸い込まれる。
【先行技術文献】
【特許文献】
【０００４】
【特許文献１】特開２０１４−９４０２６号公報
【発明の概要】
【発明が解決しようとする課題】
【０００５】
上述した特許文献１の湿式吸引装置においては、その吸引ヘッドは、境界部と被浄化面の間を通して流れる洗浄液により浄化を行うものであるため、カーペットの内部に付着した汚れを溶解させるには、洗浄液が被浄化面の内部に浸透するまで吸引を続けなければならない。また、境界部の幅を広くして流出開口から吸引開口に到る距離を長くとり、洗浄液が被浄化面の内部に浸透するようにしてこの範囲を専らの浄化範囲としている。しかし、吸引ヘッドを被浄化面に当接した際、洗浄液で満たされた流出開口から吸引開口に到る距離が長くなるため圧力損失が大きくなり、吸引ヘッドの縁を介して吸引開口から吸引力が大気に漏れて、洗浄液を流出開口から吐出させにくく、浄化に時間がかかるという問題があった。
【０００６】
そこで本発明の目的は、洗浄液が被浄化面の内部に浸透させることが可能な吸引ヘッドを提供することである。また、本発明の他の目的は、洗浄液の吐出を効果的に行う吸引ヘッドを提供することである。
【課題を解決するための手段】
【０００７】
本発明の吸引ヘッドは、境界壁を隔てて被浄化面に対して吸引作用を行う吸引開口と洗浄液が導かれる流出開口が先端に開口した吸引ヘッドにおいて、
大気に開放されたダクトと、
前記ダクトから前記流出開口に到る通路の途中に開口するノズルと、
前記ノズルに洗浄液を供給する導入管と、
前記境界壁の縁は前記先端から後退しており、前記ノズルから漏れ出した洗浄液が前記ノズルから前記流出開口に到る通路で加速して被浄化面に衝突させることを特徴とする。
【発明の効果】
【０００８】
本発明によれば、ダクトを介して吸引された空気は空気流として導入され、空気流の中に開口したノズルの洗浄液を加速して被浄化面に対して衝突させるため、洗浄液が被浄化面の内部にまで浸透させることができる効果がある。
また、霧吹き機構を採用すれば、空気流を利用してノズルから洗浄液を吸い出す圧力差を作り出すことにより、洗浄タンクに正圧を加えなくとも、流出開口に向けて洗浄液を霧吹き状に噴射することができるという効果がある。
【図面の簡単な説明】
【０００９】
【図１】本体容器と流出防止弁の断面図である。
【図２】分離処理部から蓋体を分離させた状態を示す図である。
【図３】吸引ヘッドを示す斜視図である。
【図４】吸引ヘッドの作用を説明する図である。
【図５】接続管を乾式掃除機に接続した状態を示す図である。
【図６】吸引ヘッドの他の実施例を示す図である。
【図７】吸引ヘッドのさらに他の実施例を示す図である。
【発明を実施するための形態】
【実施例１】
【００１０】
図１において、湿式吸引装置１００は、本体容器１１０内に汚水タンク１、洗浄液タンク２、分離処理部５が設けられている。本体容器１１０の外側には接続管６、吸引ヘッド４０と連結する延長管１３、乾式掃除機のエアーホースと結合する結合端３３が設けられている。
【００１１】
本体容器１１０内には、上側に汚水タンク１、下側に洗浄液タンク２が積み重ねられた状態で配置されている。汚水タンク１は、水平断面が円形であって、円形の底面部１ｂと底面部１ｂから上に行くに従って半径を大きくする円錐状の周面部１ａを有し、周面部１ａの上端縁に沿って汚水タンク１の内部空間を封鎖する蓋体１ｃによって、上部空間が覆われている。
【００１２】
底面部１ｂは、本体容器１１０の内部容積を上下に仕切る仕切板７で形成されている。蓋体１ｃには分離処理部５が組み込まれ、本体容器１１０に複数（例えば４つ）の係止部８を介して、汚水タンク１から脱着可能に固定される。
【００１３】
図２に、本体容器１１０から蓋体１ｃを取り外した状態を示す。それぞれの係止部８は、揺動操作される舌片８ａと、この舌片８ａの係止穴ａ１に嵌挿状に掛け止められる鈎状突部８ｂとからなっている。
【００１４】
蓋体１ｃに設けられた分離処理部５は吸引ヘッド４０を通じて汚水タンク１内に空気と一緒に吸引した洗浄液、洗浄液中に含まれる汚れ及びゴミ等から、空気を選別し出口管１９に向け流出させる。分離処理部５は、気体と液体を分離する気水分離を行うもので、皿体９ａ、空気流により回転されるファン９ｂ、及びファン９ｂの回転を皿体９ａに伝達する軸部９ｃからなっている。皿体９ａは、周面に多数の傾斜状のスリットｂ２が多数形成されており、回転することにより水の皿体９ａ内への進入を止め、スリットｂ２を通してその内側へ空気を流れ込ませる。内側へ流れ込んだ空気は、ファン９ｂに流れ込み、ファン９ｂを回転させて出口管１９を介して吸引される。
【００１５】
汚水タンク１の下側には、洗浄液タンク２が配置されている。洗浄液タンク２は周面部２ａと、底面部２ｂとを有し、頂面部２ｃは汚水タンク１の底面部１ｂを構成する仕切り板７を共有している。周面部２ａには洗浄液受け部１０が設けられ、この洗浄液受け部１０は洗浄液供給管１０ａとこれの上端の開口を開閉可能に閉鎖する蓋体１０ｂとを備えている。洗浄液供給管１０ａは下端の開口ｃ１を周面部２ａ内に開放しており、頂面部２ｃより高く設定されている。蓋体１０ｂは、洗浄液タンク２内の空気が出入りするための空気抜き孔が形成され、洗浄液タンク２内に水等の洗浄液を供給する場合には、開放される。よって、洗浄液タンク２の内部は大気圧の状態となる。
【００１６】
図１において、延長管１３は、その後端が周面部１ａを介して汚水タンク１内にノズル２３を介して開放されている。ノズル２３の開口ｄ１は、延長管１３内で空気が通過する断面積ｄ２よりも小さな開口面積となっており、汚水タンク１への流入速度が上昇するようになっている。さらに、ノズル２３の開口ｄ１は、延長管１３からの空気流を周面部１ａに沿う周方向に向けて開口している（図１Ｂ参照）。ノズル２３の外側は、周面部１ａと連続的な曲線を描く案内壁２３ａになっており、汚水タンク１内を旋回する汚水が、案内壁２３ａの上を乗り越えて旋回するようになっている。
【００１７】
延長管１３は汚水タンク１から前方にやや下向きに斜めに延長され、その先端には吸引ヘッド４０が連結されている。吸引ヘッド４０は、延長管１３に差し込まれる口管３ａと、内部空間が口管３ａから前方へ向けて漸次に横方へ拡開された通路部３ｂを備えている。
【００１８】
洗浄液タンク２内から吸引ヘッド４０の間には洗浄液通路１５が設けられている。吸引ヘッド４０内が負圧になると、大気圧の洗浄液タンク２から洗浄液が吸引ヘッド４０に向けて洗浄液通路１５内を流れる。吸引ヘッド４０には、長さ途中に流量調整部１６を備えている。流量調整部１６は洗浄液通路１５の長さ途中箇所を扁平状に弾性変形させるように構成したもので、ハンドル１６ａを備えている。支軸１７を中心にハンドル１６ａを揺動操作すると、ハンドル１６ａと延長管１３の間に洗浄液通路１５が挟み込まれ、弾性変形して洗浄液を閉塞状態にする。
【００１９】
図３は吸引ヘッド４０を示している。図３Ａは、吸引ヘッドを斜め下から見た様子を示している。吸引ヘッド４０の先端４０ａは、円筒を斜めに切断したような形状をしている。吸引ヘッド４０は、外筒４１と、その内側に配置された筒状の境界壁４４とを有している。境界壁４４は、外筒４１の内部領域を２つの通路に分割する境界となっており、一方の通路が口管３ａ（図１）に接続され吸引開口Ｄへとつながっている。他方の通路はダクト４２から吸引開口Ｄにつながっている。
【００２０】
洗浄液通路１５から洗浄液を境界壁４４の内部空間に導入する導入管４３と、ダクト４２とを有している。外筒４１は、その基端４０ｂで口管３ａに接続しており、その内部空間が吸引される。境界壁４４は、基端４０ｂ側に延びてはいるが途中でダクト４２に接続しており、ダクト４２は外筒４１を貫いて筒状の境界壁４４の内部空間を大気に開放する。
【００２１】
吸引ヘッド４０の先端４０ａにおいては、境界壁４４の縁４１ａと境界壁４４の縁４４ａで定義された吸引開口Ｄと、境界壁４４の縁４４ａで定義された流出開口Ｓとがそれぞれ隣合って開口している。図３Ｂに、吸引ヘッド４０の先端４０ａのみを抽出して、吸引開口Ｄと流出開口Ｓの位置関係を示している。縁４４ａがその全域にわたって、吸引開口Ｄと流出開口Ｓとの境界部を構成している。
【００２２】
縁４１ａは平面状の被浄化面に吸引ヘッド４０の先端４０ａを押しつけたときに、ほぼ全範囲が被浄化面に接触するが、先端４０ａの前側（尖った側の方）４１ｂと後側（前側４１ｂの反対側）４１ｃの範囲では、被浄化面から離れるように先端４０ａから若干後退している。これは、固形物を吸引開口Ｄ内に取り込みやすくするためである。
【００２３】
一方、縁４１ａが平面状の被浄化面にほぼ全範囲が被浄化面に接触したときに、縁４４ａは被浄化面から離れるように若干後退している。縁４４ａが吸引開口Ｄと流出開口Ｓとの境界部を構成しているため、被浄化面と縁４４ａとの間隔が吸引空気を吸込む通路になる。先端４０ａの前側（尖った側の方）４４ｂと後側（前側４４ｂの反対側）４４ｃの範囲では、縁４１ａから離れるようにし、かつ縁４４ａからダクト４２へと続く境界壁４４の形状もこれに相似して、外筒４１の内周面との距離が他の箇所に比べて離れたものとなっている。これは、吸引開口Ｄ内に取り込まれた固形物が容易に吸引ヘッド４０内を通過させるためである。
【００２４】
図３Ｃは、吸引ヘッド４０から外筒４１のみを取り除いた状態を示している。境界壁４４は、外筒４１に対して支持ブロック４７により固定されている。支持ブロック４７は、吸引ヘッド４０の側面側に位置している。側面側であれば、掃除の際に吸引ヘッド４０を被浄化面に対して前後させる際に、さほど支障が無いからである。支持ブロック４７はさらに、ダクト４２へ向かって続いており、導入管４３から続くノズル４６の側面に接触している。これは、吸引開口Ｄ内に吸い込まれた糸状物がノズル４６に引っかからないようにするためである。ノズル４６が支持ブロック４７を貫通するようにすれば、さらに望ましい。吸引ヘッド４０の先端４０ａ側における支持ブロック４７の面４７ａは、縁４１ａと縁４４ａの段差を連続させるような斜面になっている。
【００２５】
図３Ｄは、境界壁４４の一部を削除した状態を示している。境界壁４４の内部では、送風管４５とノズル４６の先端開口４６ａとにより、空気流ｔの流速の変化による圧力を利用した霧吹き機構５０ａが構成されている。境界壁４４の内部空気が縁４４ａと被浄化面の間を介して吸引開口Ｄに吸引されたとき、ダクト４２を介して大気から空気の補充が行われる。ダクト４２から流出開口Ｓに到る通路の途中に送風管４５が設けられている。ダクト４２から吸引された空気は、送風管４５を介して境界壁４４の内部に空気流ｔとして導入される。ノズル４６は、送風管４５の出口開口に対向して配置して、空気流ｔの中に先端開口４６ａが位置するようにしている。先端開口４６ａから境界壁４４の縁４４ａまでは、空気流ｔが移動する加速通路ＡＣが設けられている。この加速通路ＡＣの範囲において空気流ｔにより洗浄液を加速する。
【００２６】
図４は、吸引ヘッド４０の動作原理を示している。図４Ａは側面断面であり、図４Ｂはノズル４６と送風管４５のみを拡大して示した平面断面である。一点破線で被浄化面Ｗを示した。ノズル４６は、送風管４５により導入された空気流ｔに対してその先端開口４６ａを配置しているが、図４Ｂに示すとおり、ノズル４６の先端開口４６ａは、空気流ｔの内側である。送風管４５と先端開口４６ａとにより構成される霧吹き機構５０ａにおいて、空気流ｔは、ノズル４６の壁面により流れを遮られて方向を変えるとき圧力差が生じ、先端開口４６ａから洗浄液が吸い出される。吸い出された洗浄液は、円錐状にやや拡散しながら空気流ｔにより加速して流出開口Ｓの範囲において被浄化面Ｗに対して衝突することになる（洗浄液の噴射）。
【００２７】
この結果、カーペット表面のような被浄化面Ｗに対しては、流出開口Ｓの範囲で被浄化面Ｗの内側に対しても洗浄液が進入する。空気流ｔは、被浄化面Ｗと縁４４ａ若しくは、被浄化面Ｗがカーペット表面の場合には、被浄化面Ｗの内側を経由して、吸引開口Ｄに吸い込まれる。
【００２８】
ノズル４６から噴出した洗浄液が加速された状態で流出開口Ｓの範囲の被浄化面Ｗに衝突するため、流出開口Ｓの範囲が洗浄液による浄化範囲となる。この結果、流出開口Ｓから吸引開口Ｄに到る距離を長くし、この範囲を専らの浄化範囲としていた特許文献１に対して、本実施例によれば流出開口Ｓから吸引開口Ｄに到る距離ｔｈ（若しくは縁４４ａの厚さｔｈ）は、薄くて良い。従って、被浄化面Ｗに対して吸引ヘッド４０が押しつけられたときの縁４４ａにおける圧力損失は小さいため、ダクト４２から吸い込まれる空気量も多くなり、高速な空気流ｔを作ることができる。これは、ノズル４６からより多くの洗浄液を噴出させるのに貢献する。
【００２９】
図１に戻り、接続管６は汚水タンク１の後側に起立姿勢で固定されている。実施例においては、保持部材１８ａを介して汚水タンク１に固定されており、一方、保持部材１８ｂは洗浄液タンク２に跨った状態で配置され、両方の保持部材により橋渡し状に、縦向きの管路を有する接続管６を本体容器１１０に固定している。接続管６は、後述するように作業者の手により把持される機能を有する箇所である。接続管６の上端には、接続管６の内部の管路に対して出口管１９を抜き差し可能な状態で差し込まれるソケット２０が嵌着されている。そして接続管６の内部の管路の下端は水平方向に９０度送風方向を曲げられる。接続管６の管路は続いて、流出防止弁３０と称する部分を経て、結合端３３に続き、結合端３３を介して電気掃除機１０１のエアーホースｈが接続される。流出防止弁３０における管路を、弁室３１と称している。弁室３１は、その内部空間が水平方向に延びており、その中に、球状の弁体３４と、湿式吸引装置１００が起立した状態で弁室３１の管壁面から下向きの凹みとなる弁体駐留部３２と、結合端３３側に開口する開口部３５と、開口部３５の周囲に設けられたリング状のパッキン３６が設けられている。接続管６は、洗浄液タンク２と分離処理部５との間であって本体容器１１０に離間して設けられている。この位置は、洗浄液タンク２が洗浄液で充填され、蓋体１ｃが装着された本体容器１１０の重心位置の水平方向横に相当する位置である。
【００３０】
次に上記のように形成された本例の湿式吸引装置１００の使用例について説明する。
流量調整部１６が閉塞状態した状態で、洗浄液受け部１０の蓋体１０ｂを開放して洗浄液（液状薬剤でも、水でも良い）を洗浄液タンク２内に供給した後、蓋体１０ｂを閉鎖する。
図５Ａに示すように、乾式掃除機である電気掃除機１０１のエアーホースｈの先端開口を結合端３３に外嵌させ連通させる。操作者は、電気掃除機１０１のスイッチｋを操作して始動させる。洗浄液タンク２は大気圧状態であり、洗浄液の自重に対して洗浄液通路１５内の管摩擦損失及び表面張力が作用して、大気圧に対してバランスした状態であり、洗浄液はノズル４６からあふれ出ることは無い。手ｊで接続管６を把持し、吸引ヘッド４０の先端４０ａをカーペット等の被浄化面に当接させる。
【００３１】
始動された電気掃除機１０１の負圧発生部は、出口管１９、皿体９ａ、汚水タンク１及び吸引ヘッド４０を通じて空気を吸引する。洗浄液による洗浄を行う場合、ハンドル１６ａを操作して洗浄液通路１５を開状態にすると、ダクト４２から流出開口Ｓに到る空気流が発生して、ノズル４６における圧力のバランスが崩れ、洗浄液が被浄化面上に噴射される。洗浄液は、被浄化面付着した或いは内部に浸透した汚れを溶解させる。
【００３２】
被浄化面上に存在する洗浄液やこれに混合した汚れ成分、及び散在するゴミ等は吸引ヘッド４０を経て汚水タンク１内に流入する。ノズル２３により流速が増加した状態で周面部１ａに沿って周方向へ流動する。また皿体９ａが回転することにより、汚水タンク１内ではこれの中心線回りの旋回流が生成される。汚水タンク１内において遠心分離が行われ、分離された汚水は洗浄液タンク２内を降下する。皿体９ａは、スリットｂ２を経て出口管１９内へ流下しようとする汚水を回転による遠心力で跳ね飛ばして出口管１９内への進入を阻止する。出口管１９内の空気流は、接続管６、結合端３３を経て電気掃除機１０１に至る。
【００３３】
ハンドル１６ａを操作して洗浄液通路１５を閉状態にすると、洗浄液の供給は停止する。そのまま、電気掃除機１０１を起動し続けると吸引ヘッド４０は、吸引開口Ｄにより被浄化面上に存在する洗浄液を吸い込み続け、被浄化面を乾燥させる。
【００３４】
汚水タンク１内には汚水が排出必要レベルまで蓄積したら、図２に示すように各係止部８による本体容器１１０と蓋体１ｃとの係止を外す。そして、汚水タンク１に蓄積された汚水を廃棄する。
本実施例においては、接続管６の下側に電気掃除機１０１のエアーホースｈを接続することにより、エアーホースｈが手の動きを邪魔することを回避させている。
【００３５】
汚水タンク１は洗浄液タンク２の上側に配置されている。汚水タンク１は、皿体９ａを内部に有するため、洗浄液タンク２よりも深さが必要である。洗浄液及び汚水の重量物を接続管６の下側に位置させ、分離処理部５を上側に設定しているので、重心位置が接続管６の近辺あり、湿式吸引装置１００を取り回ししやすい。
【００３６】
また、洗浄液タンク２から汚水タンク１に移っても重心が上昇しても高さを大きく変えないので、取り回し性は劣化しない。洗浄液タンク２が汚水タンク１の上にあると、掃除開始当初、重心は接続管６の上側にあるので、取り回しにくくなる。また、掃除中に移動する洗浄液の移動高さも大きくなり、重心変動が大きくなる。
【００３７】
汚水タンク１を上側に配置したことにより、電気掃除機１０１からの吸引空気を汚水タンク１の蓋体１ｃに設けられた分離処理部５に対して導入しなくてはならないが、接続管６がこの役目を担っている。通常の電気掃除機１０１の風量を扱う管の太さは、ほぼ掌で握れる太さであり、湿式吸引装置１００を邪魔しない下側の位置から導入された電機掃除機１０１の吸引空気を接続管６の内部を利用して分離処理部５に送るのである。
図５Ｂは、湿式吸引装置１００の延長管１３に対して、直接、吸引ヘッド４０を取り付けるのでは無く、フレキシブルホースｍを間に挟んで取り付けた状態を示している。洗浄液通路１５としても、十分に長いものを取り付けて使用する。吸引ヘッド４０を手ｊに持って掃除を行い、湿式吸引装置１００は床或いは適当な場所に置かれた状態である。フレキシブルホースｍを介在させれば、垂直な壁面或いは天井面などの、分離処理部５と汚水タンク１の上下関係が逆転する環境においても使用することができる。また、作業中に、湿式吸引装置１００が転倒しても、流出防止弁３０により、洗浄液が乾式の電気掃除機１０１の負圧発生部に流れ込まない。
【００３８】
本実施例によれば、洗浄液タンク２は大気圧の状態でも、吸引ヘッド４０からは洗浄液を霧吹き状態で噴射できるため、洗浄液を圧送するポンプは必要無い。よって、湿式吸引装置１００には、モータ等の電気機器を装備する必要が無いため、製品販売及び輸出に当たっては、対応すべき法令や輸出国における規制が少ない製品とすることが出来る。
【実施例２】
【００３９】
図６は、他の実施例による吸引ヘッド４００を示す断面図である。吸引ヘッド４０と同一の構成部分については同一の引用符号が付してある。空気流の圧力差を利用して液体を吸い出す霧吹き機構については、様々な形態が知られているが、本実施例は、吸引ヘッド４０の霧吹きの原理を他の霧吹き構成５０ｂを利用したものである。霧吹き構成５０ｂは、送風管４５の途中に管路が細くなる箇所４５ａを設け、ノズル４６の先端開口４６ａを配置している。吸引ヘッド４０と比較して空気流ｔに対してその先端を配置している点は同じである。しかし、図６Ｂに示すとおり、ノズル４６の先端開口４６ａは、空気流ｔの内側ではなく側面である。空気流ｔは、箇所４５ａの位置で流速が早くなり、その結果生じた圧力低下により、霧吹きの原理に基づき先端開口４６ａから洗浄液が吸い出される。
【実施例３】
【００４０】
図７は、他の実施例による吸引ヘッド５００を示す断面図である。吸引ヘッド４０と同一の構成部分については同一の引用符号が付してある。本実施例は、吸引開口Ｄと流出開口Ｓの構成を変更したものであって、吸引開口Ｄが吸引ヘッド５００先端の前側、流出開口Ｓが吸引開口Ｄの後側に配置されている。吸引ヘッド５００は、外筒５０１からなる外観を有しており、その縁５０１ａが流出開口Ｓと吸引開口Ｄとを取り囲んで、それらの周囲を定義しており、境界壁５０２は、外筒５０１の内部領域を２つの通路に分割しており、一方の通路が口管３ａ（図１）に接続され吸引開口Ｄへとつながっている。他方の通路はダクト４２から吸引開口Ｄにつながっている。境界壁５０２の縁５０２ａが流出開口Ｓと吸引開口Ｄの境界を定義している。吸引ヘッド５００の先端が被浄化面Ｗに当接したとき、縁５０１ａのほぼ全域が、被浄化面Ｗに当接する。一方で、境界壁５０２の縁５０２ａは、外筒５０１の縁５０１ａよりも後退しており、吸引ヘッド５００の先端が被浄化面Ｗに当接したとき、境界部５０２の縁５０２ａと被浄化面Ｗの間には、隙間が空くようにされている。尚、吸引ヘッド５００の先端前側は、固形物を取り込みやすくするために、若干後退した箇所５０１ｂが設けられている。
【００４１】
ダクト４２は、吸引ヘッド５００の後側から外気を吸引しており、送風管４５を介して空気流ｔを形成し、空気流ｔの内側にノズル４６の先端開口４６ａが覗いている。洗浄液を噴射する霧吹き機構５０ａは、吸引ヘッド４０と同じである。先端開口４６ａから被浄化面Ｗに到る外筒５０１と境界壁５０２との間で構成される空間は、噴出した洗浄液が加速される加速通路として機能する。本実施例においても、洗浄液が被浄化面Ｗに対して噴射されるため、境界壁５０２の縁５０２ａの厚さｔｈは薄くて良い。
【００４２】
上記実施例においては、洗浄液タンク２は大気圧の状態であり、ノズル４６と空気流ｔによる霧吹き機構５０ａ、５０ｂを用いて、空気流ｔ中に洗浄液を吸い出していた。一方で、霧吹き機構５０ａ、５０ｂを設けない構成ならば、霧吹きの原理による吸い出しは期待できない。このようにした場合においても、洗浄液タンク２の洗浄液に例えば正圧をかけてノズル４６から漏れ出すようにすれば、ノズル４６から漏れ出した洗浄液は、加速通路を経ることにより空気流ｔによって加速され、被浄化面Ｗに衝突して内部に浸透するようになる。
【符号の説明】
【００４３】
１  汚水タンク
１ｃ  蓋体
２  洗浄液タンク
４  洗浄液案内路
５  分離処理部
６  接続管
３０  流出防止弁
３１  弁室
３２  弁体駐留部
３３  結合端
３４  弁体
３５  開口部
３６  パッキン
４０  吸引ヘッド
４１  外筒
４２  ダクト
４３  導入管
４４  境界壁
４５  送風管
４６  ノズル
４７  支持ブロック
１００  湿式吸引装置
１０１  電気掃除機
１１０  本体容器
４００  吸引ヘッド
５００  吸引ヘッド
５０１  外筒
５０２  境界壁
【図１】
2017124066.tif 000003
【図２】
2017124066.tif 000004
【図３】
2017124066.tif 000005
【図４】
2017124066.tif 000006
【図５】
2017124066.tif 000007
【図６】
2017124066.tif 000008
【図７】
2017124066.tif 000009
【手続補正書】
【提出日】平成28年9月12日(2016.9.12)
【手続補正１】
【補正対象書類名】特許請求の範囲
【補正対象項目名】全文
【補正方法】変更
【補正の内容】
【特許請求の範囲】
【請求項１】
境界壁を隔てて被浄化面に対して吸引作用を行う吸引開口と洗浄液が導かれる流出開口が先端に開口した吸引ヘッドにおいて、
大気に開放されたダクトと、
前記ダクトから取り入れた空気を前記流出開口に到る空間へ出口開口から吹き出す送風管と、
前記送風管の途中に開口するノズルと、
前記ノズルに洗浄液を供給する導入管とを有し、
前記境界壁の縁は前記先端から後退しており、前記ノズルから漏れ出した洗浄液を前記ノズルから前記流出開口に到る通路で加速し、かつノズルから漏れ出した洗浄液は、前記送風管の出口開口を経由した後に前記流出開口に到る空間に到り、被浄化面に衝突させることを特徴とする吸引ヘッド。
【請求項２】
前記ダクトから前記流出開口に到る通路を流れる空気流の途中に圧力差を生じさせ、この圧力差により前記ノズルから洗浄液を吸い出す霧吹き機構を有することを特徴とする請求項１の吸引ヘッド。
【手続補正２】
【補正対象書類名】明細書
【補正対象項目名】全文
【補正方法】変更
【補正の内容】
【発明の詳細な説明】
【技術分野】
【０００１】
本発明は、被浄化面に洗浄液を供給して吸引し除去する湿式吸引装置に用いられる吸引ヘッドに関する。
【背景技術】
【０００２】
湿式吸引装置は、床面に洗浄水を吹き付けて床面を洗浄しながら、床面上の水及びこれに溶解された汚れを吸引する。このような、湿式吸引装置として例えば、特許文献１に示されるものが知られている。この装置は、乾式の吸引装置、例えば乾式掃除機の吸引ホースの先に取り付けられ、床面に洗浄水を吹き付けて床面を洗浄しながら、床面上の水及びこれに溶解された汚れを吸引し除去するものであり、乾式掃除機のモータを利用して湿式吸引装置として機能させる。
【０００３】
この湿式吸引装置は、汚水タンクの上部空間を覆う蓋体に、吸引空気で回転するファンとこの回転力により回転する皿体が設けられ、吸引ヘッドから汚水タンク内に吸込まれた空気を皿体のスリットを介してファンに流入させる一方、汚水タンクに吸込まれた汚れを混合する洗浄水に対しては皿体の回転による遠心力で跳ね飛ばしている。
吸引ヘッドの先端は、被浄化面に対する吸引作用を行う吸引開口と洗浄液が導かれる流出開口が開口している。吸引開口と流出開口とを隔てる境界部は、吸引ヘッドの先端よりもやや窪んでいるため、吸引ヘッドの先端が被浄化面に当接すると、境界部と被浄化面の間を通して、吸引開口からの洗浄液がこの隙間を経由して吸引開口に流れる。その際に、洗浄液が被浄化面に付着した汁物等の汚れを溶解させて、吸引開口に吸い込まれる。
【先行技術文献】
【特許文献】
【０００４】
【特許文献１】特開２０１４−９４０２６号公報
【発明の概要】
【発明が解決しようとする課題】
【０００５】
上述した特許文献１の湿式吸引装置においては、その吸引ヘッドは、境界部と被浄化面の間を通して流れる洗浄液により浄化を行うものであるため、カーペットの内部に付着した汚れを溶解させるには、洗浄液が被浄化面の内部に浸透するまで吸引を続けなければならない。また、境界部の幅を広くして流出開口から吸引開口に到る距離を長くとり、洗浄液が被浄化面の内部に浸透するようにしてこの範囲を専らの浄化範囲としている。しかし、吸引ヘッドを被浄化面に当接した際、洗浄液で満たされた流出開口から吸引開口に到る距離が長くなるため圧力損失が大きくなり、吸引ヘッドの縁を介して吸引開口から吸引力が大気に漏れて、洗浄液を流出開口から吐出させにくく、浄化に時間がかかるという問題があった。
【０００６】
そこで本発明の目的は、洗浄液が被浄化面の内部に浸透させることが可能な吸引ヘッドを提供することである。また、本発明の他の目的は、洗浄液の吐出を効果的に行う吸引ヘッドを提供することである。
【課題を解決するための手段】
【０００７】
本発明の吸引ヘッドは、境界壁を隔てて被浄化面に対して吸引作用を行う吸引開口と洗浄液が導かれる流出開口が先端に開口した吸引ヘッドにおいて、
大気に開放されたダクトと、
前記ダクトから取り入れた空気を前記流出開口に到る空間へ出口開口から吹き出す送風管と、
前記送風管の途中に開口するノズルと、
前記ノズルに洗浄液を供給する導入管とを有し、
前記境界壁の縁は前記先端から後退しており、前記ノズルから漏れ出した洗浄液を前記ノズルから前記流出開口に到る通路で加速し、かつノズルから漏れ出した洗浄液は、前記送風管の出口開口を経由した後に前記流出開口に到る空間に到り、被浄化面に衝突させることを特徴とする。
【発明の効果】
【０００８】
本発明によれば、ダクトを介して吸引された空気は空気流として導入され、空気流の中に開口したノズルの洗浄液を加速して被浄化面に対して衝突させるため、洗浄液が被浄化面の内部にまで浸透させることができる効果がある。
また、霧吹き機構を採用すれば、空気流を利用してノズルから洗浄液を吸い出す圧力差を作り出すことにより、洗浄タンクに正圧を加えなくとも、流出開口に向けて洗浄液を霧吹き状に噴射することができるという効果がある。
【図面の簡単な説明】
【０００９】
【図１】本体容器と流出防止弁の断面図である。
【図２】分離処理部から蓋体を分離させた状態を示す図である。
【図３】吸引ヘッドを示す斜視図である。
【図４】吸引ヘッドの作用を説明する図である。
【図５】接続管を乾式掃除機に接続した状態を示す図である。
【図６】吸引ヘッドの他の実施例を示す図である。
【図７】吸引ヘッドのさらに他の例を示す図である。
【発明を実施するための形態】
【００１０】
図１において、湿式吸引装置１００は、本体容器１１０内に汚水タンク１、洗浄液タンク２、分離処理部５が設けられている。本体容器１１０の外側には接続管６、吸引ヘッド４０と連結する延長管１３、乾式掃除機のエアーホースと結合する結合端３３が設けられている。
【００１１】
本体容器１１０内には、上側に汚水タンク１、下側に洗浄液タンク２が積み重ねられた状態で配置されている。汚水タンク１は、水平断面が円形であって、円形の底面部１ｂと底面部１ｂから上に行くに従って半径を大きくする円錐状の周面部１ａを有し、周面部１ａの上端縁に沿って汚水タンク１の内部空間を封鎖する蓋体１ｃによって、上部空間が覆われている。
【００１２】
底面部１ｂは、本体容器１１０の内部容積を上下に仕切る仕切板７で形成されている。蓋体１ｃには分離処理部５が組み込まれ、本体容器１１０に複数（例えば４つ）の係止部８を介して、汚水タンク１から脱着可能に固定される。
【００１３】
図２に、本体容器１１０から蓋体１ｃを取り外した状態を示す。それぞれの係止部８は、揺動操作される舌片８ａと、この舌片８ａの係止穴ａ１に嵌挿状に掛け止められる鈎状突部８ｂとからなっている。
【００１４】
蓋体１ｃに設けられた分離処理部５は吸引ヘッド４０を通じて汚水タンク１内に空気と一緒に吸引した洗浄液、洗浄液中に含まれる汚れ及びゴミ等から、空気を選別し出口管１９に向け流出させる。分離処理部５は、気体と液体を分離する気水分離を行うもので、皿体９ａ、空気流により回転されるファン９ｂ、及びファン９ｂの回転を皿体９ａに伝達する軸部９ｃからなっている。皿体９ａは、周面に多数の傾斜状のスリットｂ２が多数形成されており、回転することにより水の皿体９ａ内への進入を止め、スリットｂ２を通してその内側へ空気を流れ込ませる。内側へ流れ込んだ空気は、ファン９ｂに流れ込み、ファン９ｂを回転させて出口管１９を介して吸引される。
【００１５】
汚水タンク１の下側には、洗浄液タンク２が配置されている。洗浄液タンク２は周面部２ａと、底面部２ｂとを有し、頂面部２ｃは汚水タンク１の底面部１ｂを構成する仕切り板７を共有している。周面部２ａには洗浄液受け部１０が設けられ、この洗浄液受け部１０は洗浄液供給管１０ａとこれの上端の開口を開閉可能に閉鎖する蓋体１０ｂとを備えている。洗浄液供給管１０ａは下端の開口ｃ１を周面部２ａ内に開放しており、頂面部２ｃより高く設定されている。蓋体１０ｂは、洗浄液タンク２内の空気が出入りするための空気抜き孔が形成され、洗浄液タンク２内に水等の洗浄液を供給する場合には、開放される。よって、洗浄液タンク２の内部は大気圧の状態となる。
【００１６】
図１において、延長管１３は、その後端が周面部１ａを介して汚水タンク１内にノズル２３を介して開放されている。ノズル２３の開口ｄ１は、延長管１３内で空気が通過する断面積ｄ２よりも小さな開口面積となっており、汚水タンク１への流入速度が上昇するようになっている。さらに、ノズル２３の開口ｄ１は、延長管１３からの空気流を周面部１ａに沿う周方向に向けて開口している（図１Ｂ参照）。ノズル２３の外側は、周面部１ａと連続的な曲線を描く案内壁２３ａになっており、汚水タンク１内を旋回する汚水が、案内壁２３ａの上を乗り越えて旋回するようになっている。
【００１７】
延長管１３は汚水タンク１から前方にやや下向きに斜めに延長され、その先端には吸引ヘッド４０が連結されている。吸引ヘッド４０は、延長管１３に差し込まれる口管３ａと、内部空間が口管３ａから前方へ向けて漸次に横方へ拡開された通路部３ｂを備えている。
【００１８】
洗浄液タンク２内から吸引ヘッド４０の間には洗浄液通路１５が設けられている。吸引ヘッド４０内が負圧になると、大気圧の洗浄液タンク２から洗浄液が吸引ヘッド４０に向けて洗浄液通路１５内を流れる。吸引ヘッド４０には、長さ途中に流量調整部１６を備えている。流量調整部１６は洗浄液通路１５の長さ途中箇所を扁平状に弾性変形させるように構成したもので、ハンドル１６ａを備えている。支軸１７を中心にハンドル１６ａを揺動操作すると、ハンドル１６ａと延長管１３の間に洗浄液通路１５が挟み込まれ、弾性変形して洗浄液を閉塞状態にする。
【００１９】
図３は吸引ヘッド４０を示している。図３Ａは、吸引ヘッドを斜め下から見た様子を示している。吸引ヘッド４０の先端４０ａは、円筒を斜めに切断したような形状をしている。吸引ヘッド４０は、外筒４１と、その内側に配置された筒状の境界壁４４とを有している。境界壁４４は、外筒４１の内部領域を２つの通路に分割する境界となっており、一方の通路が口管３ａ（図１）に接続され吸引開口Ｄへとつながっている。他方の通路はダクト４２から吸引開口Ｄにつながっている。
【００２０】
洗浄液通路１５から洗浄液を境界壁４４の内部空間に導入する導入管４３と、ダクト４２とを有している。外筒４１は、その基端４０ｂで口管３ａに接続しており、その内部空間が吸引される。境界壁４４は、基端４０ｂ側に延びてはいるが途中でダクト４２に接続しており、ダクト４２は外筒４１を貫いて筒状の境界壁４４の内部空間を大気に開放する。
【００２１】
吸引ヘッド４０の先端４０ａにおいては、境界壁４４の縁４１ａと境界壁４４の縁４４ａで定義された吸引開口Ｄと、境界壁４４の縁４４ａで定義された流出開口Ｓとがそれぞれ隣合って開口している。図３Ｂに、吸引ヘッド４０の先端４０ａのみを抽出して、吸引開口Ｄと流出開口Ｓの位置関係を示している。縁４４ａがその全域にわたって、吸引開口Ｄと流出開口Ｓとの境界部を構成している。
【００２２】
縁４１ａは平面状の被浄化面に吸引ヘッド４０の先端４０ａを押しつけたときに、ほぼ全範囲が被浄化面に接触するが、先端４０ａの前側（尖った側の方）４１ｂと後側（前側４１ｂの反対側）４１ｃの範囲では、被浄化面から離れるように先端４０ａから若干後退している。これは、固形物を吸引開口Ｄ内に取り込みやすくするためである。
【００２３】
一方、縁４１ａが平面状の被浄化面にほぼ全範囲が被浄化面に接触したときに、縁４４ａは被浄化面から離れるように若干後退している。縁４４ａが吸引開口Ｄと流出開口Ｓとの境界部を構成しているため、被浄化面と縁４４ａとの間隔が吸引空気を吸込む通路になる。先端４０ａの前側（尖った側の方）４４ｂと後側（前側４４ｂの反対側）４４ｃの範囲では、縁４１ａから離れるようにし、かつ縁４４ａからダクト４２へと続く境界壁４４の形状もこれに相似して、外筒４１の内周面との距離が他の箇所に比べて離れたものとなっている。これは、吸引開口Ｄ内に取り込まれた固形物が容易に吸引ヘッド４０内を通過させるためである。
【００２４】
図３Ｃは、吸引ヘッド４０から外筒４１のみを取り除いた状態を示している。境界壁４４は、外筒４１に対して支持ブロック４７により固定されている。支持ブロック４７は、吸引ヘッド４０の側面側に位置している。側面側であれば、掃除の際に吸引ヘッド４０を被浄化面に対して前後させる際に、さほど支障が無いからである。支持ブロック４７はさらに、ダクト４２へ向かって続いており、導入管４３から続くノズル４６の側面に接触している。これは、吸引開口Ｄ内に吸い込まれた糸状物がノズル４６に引っかからないようにするためである。ノズル４６が支持ブロック４７を貫通するようにすれば、さらに望ましい。吸引ヘッド４０の先端４０ａ側における支持ブロック４７の面４７ａは、縁４１ａと縁４４ａの段差を連続させるような斜面になっている。
【００２５】
図３Ｄは、境界壁４４の一部を削除した状態を示している。境界壁４４の内部では、送風管４５とノズル４６の先端開口４６ａとにより、空気流ｔの流速の変化による圧力を利用した霧吹き機構５０ａが構成されている。境界壁４４の内部空気が縁４４ａと被浄化面の間を介して吸引開口Ｄに吸引されたとき、ダクト４２を介して大気から空気の補充が行われる。ダクト４２から流出開口Ｓに到る通路の途中に送風管４５が設けられている。ダクト４２から吸引された空気は、送風管４５を介して境界壁４４の内部に空気流ｔとして導入される。ノズル４６は、送風管４５の出口開口に対向して配置して、空気流ｔの中に先端開口４６ａが位置するようにしている。先端開口４６ａから境界壁４４の縁４４ａまでは、空気流ｔが移動する加速通路ＡＣが設けられている。この加速通路ＡＣの範囲において空気流ｔにより洗浄液を加速する。
【００２６】
図４は、吸引ヘッド４０の動作原理を示している。図４Ａは側面断面であり、図４Ｂはノズル４６と送風管４５のみを拡大して示した平面断面である。一点破線で被浄化面Ｗを示した。ノズル４６は、送風管４５により導入された空気流ｔに対してその先端開口４６ａを配置しているが、図４Ｂに示すとおり、ノズル４６の先端開口４６ａは、空気流ｔの内側である。送風管４５と先端開口４６ａとにより構成される霧吹き機構５０ａにおいて、空気流ｔは、ノズル４６の壁面により流れを遮られて方向を変えるとき圧力差が生じ、先端開口４６ａから洗浄液が吸い出される。吸い出された洗浄液は、円錐状にやや拡散しながら空気流ｔにより加速して流出開口Ｓの範囲において被浄化面Ｗに対して衝突することになる（洗浄液の噴射）。
【００２７】
この結果、カーペット表面のような被浄化面Ｗに対しては、流出開口Ｓの範囲で被浄化面Ｗの内側に対しても洗浄液が進入する。空気流ｔは、被浄化面Ｗと縁４４ａ若しくは、被浄化面Ｗがカーペット表面の場合には、被浄化面Ｗの内側を経由して、吸引開口Ｄに吸い込まれる。
【００２８】
ノズル４６から噴出した洗浄液が加速された状態で流出開口Ｓの範囲の被浄化面Ｗに衝突するため、流出開口Ｓの範囲が洗浄液による浄化範囲となる。この結果、流出開口Ｓから吸引開口Ｄに到る距離を長くし、この範囲を専らの浄化範囲としていた特許文献１に対して、本例によれば流出開口Ｓから吸引開口Ｄに到る距離ｔｈ（若しくは縁４４ａの厚さｔｈ）は、薄くて良い。従って、被浄化面Ｗに対して吸引ヘッド４０が押しつけられたときの縁４４ａにおける圧力損失は小さいため、ダクト４２から吸い込まれる空気量も多くなり、高速な空気流ｔを作ることができる。これは、ノズル４６からより多くの洗浄液を噴出させるのに貢献する。
【００２９】
図１に戻り、接続管６は汚水タンク１の後側に起立姿勢で固定されている。本例においては、保持部材１８ａを介して汚水タンク１に固定されており、一方、保持部材１８ｂは洗浄液タンク２に跨った状態で配置され、両方の保持部材により橋渡し状に、縦向きの管路を有する接続管６を本体容器１１０に固定している。接続管６は、後述するように作業者の手により把持される機能を有する箇所である。接続管６の上端には、接続管６の内部の管路に対して出口管１９を抜き差し可能な状態で差し込まれるソケット２０が嵌着されている。そして接続管６の内部の管路の下端は水平方向に９０度送風方向を曲げられる。接続管６の管路は続いて、流出防止弁３０と称する部分を経て、結合端３３に続き、結合端３３を介して電気掃除機１０１のエアーホースｈが接続される。流出防止弁３０における管路を、弁室３１と称している。弁室３１は、その内部空間が水平方向に延びており、その中に、球状の弁体３４と、湿式吸引装置１００が起立した状態で弁室３１の管壁面から下向きの凹みとなる弁体駐留部３２と、結合端３３側に開口する開口部３５と、開口部３５の周囲に設けられたリング状のパッキン３６が設けられている。接続管６は、洗浄液タンク２と分離処理部５との間であって本体容器１１０に離間して設けられている。この位置は、洗浄液タンク２が洗浄液で充填され、蓋体１ｃが装着された本体容器１１０の重心位置の水平方向横に相当する位置である。
【００３０】
次に上記のように形成された本例の湿式吸引装置１００の使用例について説明する。
流量調整部１６が閉塞状態した状態で、洗浄液受け部１０の蓋体１０ｂを開放して洗浄液（液状薬剤でも、水でも良い）を洗浄液タンク２内に供給した後、蓋体１０ｂを閉鎖する。
図５Ａに示すように、乾式掃除機である電気掃除機１０１のエアーホースｈの先端開口を結合端３３に外嵌させ連通させる。操作者は、電気掃除機１０１のスイッチｋを操作して始動させる。洗浄液タンク２は大気圧状態であり、洗浄液の自重に対して洗浄液通路１５内の管摩擦損失及び表面張力が作用して、大気圧に対してバランスした状態であり、洗浄液はノズル４６からあふれ出ることは無い。手ｊで接続管６を把持し、吸引ヘッド４０の先端４０ａをカーペット等の被浄化面に当接させる。
【００３１】
始動された電気掃除機１０１の負圧発生部は、出口管１９、皿体９ａ、汚水タンク１及び吸引ヘッド４０を通じて空気を吸引する。洗浄液による洗浄を行う場合、ハンドル１６ａを操作して洗浄液通路１５を開状態にすると、ダクト４２から流出開口Ｓに到る空気流が発生して、ノズル４６における圧力のバランスが崩れ、洗浄液が被浄化面上に噴射される。洗浄液は、被浄化面付着した或いは内部に浸透した汚れを溶解させる。
【００３２】
被浄化面上に存在する洗浄液やこれに混合した汚れ成分、及び散在するゴミ等は吸引ヘッド４０を経て汚水タンク１内に流入する。ノズル２３により流速が増加した状態で周面部１ａに沿って周方向へ流動する。また皿体９ａが回転することにより、汚水タンク１内ではこれの中心線回りの旋回流が生成される。汚水タンク１内において遠心分離が行われ、分離された汚水は洗浄液タンク２内を降下する。皿体９ａは、スリットｂ２を経て出口管１９内へ流下しようとする汚水を回転による遠心力で跳ね飛ばして出口管１９内への進入を阻止する。出口管１９内の空気流は、接続管６、結合端３３を経て電気掃除機１０１に至る。
【００３３】
ハンドル１６ａを操作して洗浄液通路１５を閉状態にすると、洗浄液の供給は停止する。そのまま、電気掃除機１０１を起動し続けると吸引ヘッド４０は、吸引開口Ｄにより被浄化面上に存在する洗浄液を吸い込み続け、被浄化面を乾燥させる。
【００３４】
汚水タンク１内には汚水が排出必要レベルまで蓄積したら、図２に示すように各係止部８による本体容器１１０と蓋体１ｃとの係止を外す。そして、汚水タンク１に蓄積された汚水を廃棄する。
本例においては、接続管６の下側に電気掃除機１０１のエアーホースｈを接続することにより、エアーホースｈが手の動きを邪魔することを回避させている。
【００３５】
汚水タンク１は洗浄液タンク２の上側に配置されている。汚水タンク１は、皿体９ａを内部に有するため、洗浄液タンク２よりも深さが必要である。洗浄液及び汚水の重量物を接続管６の下側に位置させ、分離処理部５を上側に設定しているので、重心位置が接続管６の近辺あり、湿式吸引装置１００を取り回ししやすい。
【００３６】
また、洗浄液タンク２から汚水タンク１に移っても重心が上昇しても高さを大きく変えないので、取り回し性は劣化しない。洗浄液タンク２が汚水タンク１の上にあると、掃除開始当初、重心は接続管６の上側にあるので、取り回しにくくなる。また、掃除中に移動する洗浄液の移動高さも大きくなり、重心変動が大きくなる。
【００３７】
汚水タンク１を上側に配置したことにより、電気掃除機１０１からの吸引空気を汚水タンク１の蓋体１ｃに設けられた分離処理部５に対して導入しなくてはならないが、接続管６がこの役目を担っている。通常の電気掃除機１０１の風量を扱う管の太さは、ほぼ掌で握れる太さであり、湿式吸引装置１００を邪魔しない下側の位置から導入された電機掃除機１０１の吸引空気を接続管６の内部を利用して分離処理部５に送るのである。
図５Ｂは、湿式吸引装置１００の延長管１３に対して、直接、吸引ヘッド４０を取り付けるのでは無く、フレキシブルホースｍを間に挟んで取り付けた状態を示している。洗浄液通路１５としても、十分に長いものを取り付けて使用する。吸引ヘッド４０を手ｊに持って掃除を行い、湿式吸引装置１００は床或いは適当な場所に置かれた状態である。フレキシブルホースｍを介在させれば、垂直な壁面或いは天井面などの、分離処理部５と汚水タンク１の上下関係が逆転する環境においても使用することができる。また、作業中に、湿式吸引装置１００が転倒しても、流出防止弁３０により、洗浄液が乾式の電気掃除機１０１の負圧発生部に流れ込まない。
【００３８】
本例によれば、洗浄液タンク２は大気圧の状態でも、吸引ヘッド４０からは洗浄液を霧吹き状態で噴射できるため、洗浄液を圧送するポンプは必要無い。よって、湿式吸引装置１００には、モータ等の電気機器を装備する必要が無いため、製品販売及び輸出に当たっては、対応すべき法令や輸出国における規制が少ない製品とすることが出来る。
【００３９】
図６は、本発明の実施例による吸引ヘッド４００を示す断面図である。吸引ヘッド４０と同一の構成部分については同一の引用符号が付してある。空気流の圧力差を利用して液体を吸い出す霧吹き機構については、様々な形態が知られているが、本実施例は、吸引ヘッド４０の霧吹きの原理を他の霧吹き構成５０ｂを利用したものである。霧吹き構成５０ｂは、送風管４５の途中に管路が細くなる箇所４５ａを設け、ノズル４６の先端開口４６ａを配置している。吸引ヘッド４０と比較して空気流ｔに対してその先端を配置している点は同じである。しかし、図６Ｂに示すとおり、ノズル４６の先端開口４６ａは、空気流ｔの内側ではなく側面である。空気流ｔは、箇所４５ａの位置で流速が早くなり、その結果生じた圧力低下により、霧吹きの原理に基づき先端開口４６ａから洗浄液が吸い出される。
【００４０】
図７は、吸引ヘッド５００を示す断面図である。吸引ヘッド４０と同一の構成部分については同一の引用符号が付してある。本例は、吸引開口Ｄと流出開口Ｓの構成を変更したものであって、吸引開口Ｄが吸引ヘッド５００先端の前側、流出開口Ｓが吸引開口Ｄの後側に配置されている。吸引ヘッド５００は、外筒５０１からなる外観を有しており、その縁５０１ａが流出開口Ｓと吸引開口Ｄとを取り囲んで、それらの周囲を定義しており、境界壁５０２は、外筒５０１の内部領域を２つの通路に分割しており、一方の通路が口管３ａ（図１）に接続され吸引開口Ｄへとつながっている。他方の通路はダクト４２から吸引開口Ｄにつながっている。境界壁５０２の縁５０２ａが流出開口Ｓと吸引開口Ｄの境界を定義している。吸引ヘッド５００の先端が被浄化面Ｗに当接したとき、縁５０１ａのほぼ全域が、被浄化面Ｗに当接する。一方で、境界壁５０２の縁５０２ａは、外筒５０１の縁５０１ａよりも後退しており、吸引ヘッド５００の先端が被浄化面Ｗに当接したとき、境界部５０２の縁５０２ａと被浄化面Ｗの間には、隙間が空くようにされている。尚、吸引ヘッド５００の先端前側は、固形物を取り込みやすくするために、若干後退した箇所５０１ｂが設けられている。
【００４１】
ダクト４２は、吸引ヘッド５００の後側から外気を吸引しており、送風管４５を介して空気流ｔを形成し、空気流ｔの内側にノズル４６の先端開口４６ａが覗いている。洗浄液を噴射する霧吹き機構５０ａは、吸引ヘッド４０と同じである。先端開口４６ａから被浄化面Ｗに到る外筒５０１と境界壁５０２との間で構成される空間は、噴出した洗浄液が加速される加速通路として機能する。本例においても、洗浄液が被浄化面Ｗに対して噴射されるため、境界壁５０２の縁５０２ａの厚さｔｈは薄くて良い。
【００４２】
上記例においては、洗浄液タンク２は大気圧の状態であり、ノズル４６と空気流ｔによる霧吹き機構５０ａ、５０ｂを用いて、空気流ｔ中に洗浄液を吸い出していた。一方で、霧吹き機構５０ａ、５０ｂを設けない構成ならば、霧吹きの原理による吸い出しは期待できない。このようにした場合においても、洗浄液タンク２の洗浄液に例えば正圧をかけてノズル４６から漏れ出すようにすれば、ノズル４６から漏れ出した洗浄液は、加速通路を経ることにより空気流ｔによって加速され、被浄化面Ｗに衝突して内部に浸透するようになる。
【符号の説明】
【００４３】
１  汚水タンク
１ｃ  蓋体
２  洗浄液タンク
４  洗浄液案内路
５  分離処理部
６  接続管
３０  流出防止弁
３１  弁室
３２  弁体駐留部
３３  結合端
３４  弁体
３５  開口部
３６  パッキン
４０  吸引ヘッド
４１  外筒
４２  ダクト
４３  導入管
４４  境界壁
４５  送風管
４６  ノズル
４７  支持ブロック
１００  湿式吸引装置
１０１  電気掃除機
１１０  本体容器
４００  吸引ヘッド
５００  吸引ヘッド
５０１  外筒
５０２  境界壁
【手続補正３】
【補正対象書類名】図面
【補正対象項目名】図３
【補正方法】変更
【補正の内容】
【図３】
2017124066.tif 000010
【手続補正書】
【提出日】平成28年11月14日(2016.11.14)
【手続補正１】
【補正対象書類名】特許請求の範囲
【補正対象項目名】請求項１
【補正方法】変更
【補正の内容】
【請求項１】
外筒の内部領域を２つの通路に分割する境界壁を隔てて被浄化面に対して吸引作用を行う吸引開口と洗浄液が導かれる流出開口が先端に開口した吸引ヘッドにおいて、
大気に開放されたダクトと、
前記ダクトから取り入れた空気を前記流出開口に到る空間へ出口開口から吹き出す送風管と、
前記送風管の途中に開口するノズルと、
前記ノズルに洗浄液を供給する導入管とを有し、
前記境界壁の縁は前記先端から後退しており、前記ノズルから漏れ出した洗浄液を前記ノズルから前記流出開口に到る通路で加速し、かつノズルから漏れ出した洗浄液は、前記送風管の出口開口を経由した後に、前記境界壁により分割された外筒の内部領域のうち前記流出開口に到る通路に到り、被浄化面に衝突させることを特徴とする吸引ヘッド。
【手続補正２】
【補正対象書類名】明細書
【補正対象項目名】０００７
【補正方法】変更
【補正の内容】
【０００７】
本発明の吸引ヘッドは、外筒の内部領域を２つの通路に分割する境界壁を隔てて被浄化面に対して吸引作用を行う吸引開口と洗浄液が導かれる流出開口が先端に開口した吸引ヘッドにおいて、
大気に開放されたダクトと、
前記ダクトから取り入れた空気を前記流出開口に到る空間へ出口開口から吹き出す送風管と、
前記送風管の途中に開口するノズルと、
前記ノズルに洗浄液を供給する導入管とを有し、
前記境界壁の縁は前記先端から後退しており、前記ノズルから漏れ出した洗浄液を前記ノズルから前記流出開口に到る通路で加速し、かつノズルから漏れ出した洗浄液は、前記送風管の出口開口を経由した後に、前記境界壁により分割された外筒の内部領域のうち前記流出開口に到る通路に到り、被浄化面に衝突させることを特徴とする。